(57)【要約】【課題】  本発明は、少なくとも１つの複写対抗パターンから構成される変調画像を有するソース画像のシーケンスを一時的に変調するように意図された画像処理装置に関する。【解決手段】  本発明に従って、映像シーケンス（例えば、ビデオカメラにより撮影された）の違法複写を見ている人を妨害することが可能である、画像の位置においてパターンを位置付けるように、変調されるソース画像に基づいて変調画像を生成する方法を提供する。変調画像は、例えば、画像の二次輪郭の画像である。パターンは、それ故、ソース画像の緩やかな傾斜の領域に位置付けられる。【選択図】  図１
2005318595.tif 000002
【特許請求の範囲】
【請求項１】
少なくとも１つのパターンから構成される変調画像を有するソース画像のシーケンスを一時的に変調するように意図された画像処理方法であって：
前記シーケンスの画像が表示されるときに前記の少なくとも１つのパターンは人間の眼に見えないように、及び、前記画像がそれらの表示中に撮影されることにより複写されるときにアーチファクトが現れるように、前記のソース画像のシーケンスは変調画像を用いて変調される；
画像処理方法であり、
変調画像の前記パターンの形状及び／又は位置は前記変調画像が変調されるソース画像の解析により決定される；
ことを特徴とする画像処理方法。
【請求項２】
請求項１に記載の画像処理方法であって、前記変調画像は、変調されるソース画像に基づいて生成される、ことを特徴とする画像処理方法。
【請求項３】
請求項２に記載の画像処理方法であって、変調画像は変調されるソース画像の二次輪郭の画像である、ことを特徴とする画像処理方法。
【請求項４】
請求項３に記載の画像処理方法であって、変調画像は、緩やかな傾斜を有する輪郭の抽出（３００）により後を続けられるソース画像における輪郭のフィルタリング（１００）により生成される、ことを特徴とする画像処理方法。
【請求項５】
請求項４に記載の画像処理方法であって、輪郭のフィルタリングの後に得られる画像の輪郭は、緩やかな傾斜を有する輪郭の抽出の前にスムージングされる、ことを特徴とする画像処理方法。
【発明の詳細な説明】
【技術分野】
【０００１】
本発明は、画像処理方法及び装置に関する。
【背景技術】
【０００２】
静止画像又は動画像であるビジュアルコンテンツは、一般に、著作権関連排他性からの利益を保証する作成物である。それらの複製は、一般に、著者及び著者の信託者の対価を可能にする厳密に規定されたフレームワークのみにおいて許可されている。
【０００３】
このような法的基準が正しく厳守されることを確実にするためであって、違法複写を防止するため又はそれらが使用できないようにレンダリングするようにそれらの品質を十分低下させるために、多くのシステムが開発されてきた。
【０００４】
このようなフレームワークにおいては、欧州特許第１２３７３６９号明細書は、画像の表示中に、例えば、映画館でビデオカメラを用いて、写真を撮ることにより画像を複写することに対抗することを目的としている。このために、人間の眼には視認できないパターンをレンダリングするが、ビデオカメラにより撮影されるシーケンスにおいてアーチファクトが生成される高周波数において表示される値に関して、パターンの画素の強度が変調されることが提案されている。このパターンは、一般に、透かし入れ又は複写防止パターンと呼ばれる。そのパターンの形状は、ビデオカメラにより表示される画像において現れる、例えば、“違法複写”のようなメッセージを入れるために決定される。
【０００５】
パターンが肉眼では視認できないように、変調は、交互の、パターンが暗い画像とパターンが明るい画像とに存在し、幾つかの画像に対するパターンの平均強度は、パターンの存在しない画像において表示される強度に対応している。これらの画像の表示中、眼は積分を実行し、実際には、平均強度を知覚する。この技術は又、交互の、パターンが多く色付けされた画像とパターンが少なく色付けされた画像とにより画像の色に適用されることが可能であり、それ故、幾つかの画像に対するパターンの平均色はパターンの存在しない状態において表示される色に対応している。
【０００６】
実際には、パターンは変調画像の状態で含まれ、保護されるシーケンスの画像はこの変調画像を用いて変調される。
【０００７】
この種の技術の主な困難な点の１つは、例えば、ビデオカメラにより生成される違法複写を見る人への妨害を最大化するように、画像中のどの位置にパターンを置いたら良いかを決定することである。
る、反復するトリックパターンを見つける処理を自動化する方法を探そうとする。
【特許文献１】欧州特許第１２３７３６９号明細書
【発明の開示】
【発明が解決しようとする課題】
【０００８】
本発明に従って、このような困難な点を解決することを可能にする解決方法を提供することである。本発明に従って、パターンの位置及び／又は形状は、変調されるソース画像の関数として規定される。特に、変調画像は、変調されるソース画像に基づいて生成される。好適には、変調画像は、変調される画像の二次輪郭に基づいて生成される。変調される画像の二次輪郭は変調画像のパターンを形成するために用いられる。パターンは、それ故、ソース画像の緩やかな傾斜の領域に置かれる。
【課題を解決するための手段】
【０００９】
本発明は、少なくとも１つのパターンから構成される変調画像を有するソース画像のシーケンスを一次的に変調するように意図された画像処理方法であって、前記ソース画像のシーケンスは、そのシーケンスの画像が表示されるときには前記少なくとも１つのパターンが人間の眼には視認されず、前記画像が表示中に写真撮影されることにより複写されるときにはアーチファクトが現れるような、変調画像を用いて変調される、方法であり、変調画像の前記パターンの形状及び／又は位置は、前記変調画像が変調するソース画像の解析により決定される、方法に関する。
【００１０】
特に、変調画像は変調されるソース画像に基づいて、直接、生成され、変調画像は変調されるソース画像の二次輪郭の画像である。
【００１１】
本発明は、添付図面を参照して、非制限的実施例として与えられている以下の説明を読むことにより更に理解することができる。
【発明を実施するための最良の形態】
【００１２】
本発明に従って、各々の変調画像は変調される画像に基づいて計算される。変調画像の幾何学的構成は、それ故、変調される画像の幾何学的構成を繰り返す。更に、変調画像を生成するためにソース画像に適用されス処理は、変調される画像の緩やかな傾斜の領域に変調画像のパターンが位置付けられるように規定される。このために、変調される画像の二次輪郭の画像が、変調画像として用いるために選択される。
【００１３】
図１を参照するに、変調画像は、例えば、変調される画像に対して、次のような段階を提供することにより生成される。即ち
−  変調される画像において輪郭を検出する段階１００
−  検出された輪郭をスムージングする段階２００、及び
−  スムージングされた画像から二次輪郭を抽出する段階３００
である。
【００１４】
このようにして得られる二次輪郭の画像は、次いで、変調画像として用いられる。
【００１５】
輪郭の検出１００は、変調されるソース画像において２回のフィルタリングを並行して適用することにより行われる。カーネル
【００１６】
【数１】
2005318595.tif 000003
を用いる正のフィルタリングは明から暗への変移に対応する輪郭を検出し、カーネル
【００１７】
【数２】
2005318595.tif 000004
を用いる負のフィルタリングは暗から明への変移に対応する輪郭を検出する。これらの２つのフィルタによる結果は、輪郭画像を形成するために加算される。図２は、所定のソース画像に対して、段階１００、２００及ビ３００の各々の終了時における結果を示している。ソース画像における輪郭の検出を示す画像においては、検出された輪郭は、画像の最も明るい画素により表される。
【００１８】
好適には、検出される輪郭は、その後、正輪郭と負輪郭とを空間的に統合するため及びノイズを削除するためにスムージングされる。具体的には、暗いバックグラウンドにおける細く明るい帯の場合、上記のフィルタは２つの互いに非常に接近した輪郭を検出する。このスムージング演算２００は、それらを統合することを可能にする。それは、例えば、５ｘ５の平均化演算により実行される。輪郭画像の各々の画素は、このようにして、考慮されている画素を包含する画素のブロックの２５個の画素の平均レベルが割り当てられる。
【００１９】
輪郭がスムージングされた図２ンお画像においては、二次輪郭は、主輪郭を表す最も明るい画素に対して小さい強度を有する画素により表される。二次輪郭は、次いで、高レベルに対して低レベルを肯定するＬＵＴ（ルックアップテーブル）のテーブルを用いて、この画像から抽出される。しかしながら、非常に低いレベルは、ノイズによる輪郭を削除するために、除去される。ＬＵＴテーブルは、例えば、次の表のように定義される。
【００２０】
【表１】
2005318595.tif 000005
このようにして得られた二次輪郭の画像は、ビデオカメラによる複写に対してビジュアルコンテンツを保護することを目的とする変調処理において変調画像として用いられる。図２の最後の画像は、二次輪郭の画像によるソース画像の変調の後に結果として得られる画像を表している。ジャケット上に現れているスポットは、本発明に従った処理の結果である。これらのスポットは、カラー画像シーケンスの場合、尚一層視認できる。それらのスポットは、シーンの構成要素の変調の関数として次第に変形する。ビデオカメラによる視覚化の後、これらのスポットは、撮影装置（ビデオカメラ）の捕捉周波数及び用いられる表示パネルの表示周波数の関数としてちらつく又は色が変化する。
【００２１】
本方法は、従来のデジタルプロセッサにおいて容易に実施されることが可能である。
【００２２】
結論として、本発明の方法は次のような優位性を有する。
−  生成された画像はソース画像の主輪郭に重ね合わされない。それ故、ビデオカメラを用いて捕捉された画像における輪郭の数は略倍増し、これらの輪郭の半分は妨害情報に対応している。
−  変調画像のパターンはビデオシーケンスにおいて存在する動きに追従する特徴を有し、これは、シーケンスの視覚化の間、眼の動きに関連する欠陥を生成しないことを可能にした。
−  輪郭が２つの画像のみにおいて存在するとき、眼は画像シーケンスにおける突然の変移に対して非常に敏感であるため、及びパターンは変調される画像のコンテンツに依存しない従来の場合に認識されるため、眼は変調の出現又は消滅を知覚することができる。本発明の場合、この変調の出現又は消滅は、画像シーケンスの表示の間、裸眼で視認できる幾つかの輪郭を示す中間領域の悪影響に対して画像を解析するように、主輪郭に焦点を合わせているため、眼で知覚することはできない。
【図面の簡単な説明】
【００２３】
【図１】本発明に従った変調画像を生成するための段階をまとめたフローチャートである。
【図２】ソース画像に対する図１の種々の段階の現れ方を示す図である。
【図１】
2005318595.tif 000006
【図２】
2005318595.tif 000007